(57)【要約】本発明は電源遮断機用操作ノブのリターン装置に関し、固定軸を中心で回動し、上部にハウジングの上面部の上に突出された上端部と下部に左下端部と右下端部を各々具備した操作ノブと前記操作ノブの左下端部にリンク連結されたラッチバーを利用して前記ハウジングの底面に構成された一対の接触スイッチを開閉させるようにし、前記操作ノブの右側方に前記固定軸に平行な第１補助軸を中心で回動し、下部に支持顎を具備し、上部には接触部を具備したトリップバーと、前記操作ノブの左側方に前記固定軸に平行な第２補助軸を中心で回動する回動レバーと、電気的な信号によって駆動されるソレノイドの塊が装着され、前記回動レバーの位置側部にソレノイドの塊のプランジャーとピボット結合される少なくとも一つ以上の駆動リンクが連結され、この回動レバーの他側部に操作ノブとラッチバーにピボット連結される少なくとも一つ以上の被駆動リンクがピボット連結されてなり、前記ラッチバーは弾性体になってヘッド部は被駆動リンクにピボット結合され、レッグ部は自由段で形成するが、前記支持顎に支持されることができるようにした操作ノブのリターン装置を提供する。【選択図】図２
2008519395.tif 000002
【特許請求の範囲】
【請求項１】
電源遮断機用操作ノブの自動リターン装置において、遮断機のハウジングに固定された固定軸を中心で回動し、スプリングによって逆回転抵抗力が具備され、ハウジングの上面部の上に突出する上端部を有し、下部に左下端部と右下端部を有し、左下端部は回動力を伝達するピボットが形成された操作ノブ；
前記操作ノブの右側方に配置され、前記固定軸に平行な第１補助軸を中心で回動し、下部に支持顎を具備し、上部には接触部を具備したトリップバー；
前記操作ノブの左側方に配置され、前記固定軸に平行な第２補助軸を中心で回動し、軸孔の一側にかたよって左右に配置され、回転力を伝達する左端作用部と右端作用部を有する回動レバー；
軽筒の外部にサージ電流が印加されるようにコイルを巻き、軽筒の中空を軸方向に直線運動するように構成し、上端部が引張力リンク手段によって回動レバーの左端作用部にリンクされたプランジャーを具備したソレノイドの塊；
前記回動レバーの右端作用部の運動を前記操作ノブとラッチバーに分散伝達するように三つの作用部を有し、第１作用部は前記回動レバーの右端作用部に引張力リンク手段にて連結され、第２作用部は前記操作ノブの左下端部にピボット連結され、第３作用部は前記ラッチバーのヘッド部にピボット連結されるように構成された被駆動リンク；
前記被駆動リンクの第３作用部がヘッド部にピボット結合され、レッグ部は自由端として前記トリップバーの支持顎に支持されることができるようにして制限的なヒンジ運動をし、体は弾性素材からなり、前記操作ノブの回動中に右下端部と接触されるように配置されたラッチバー；及び
前記ラッチバーの下方に配置され、前記ラッチバーの運動を受けて電気接点が開閉されるように構成された接触スイッチ；を含んで構成された電源遮断機用操作ノブの自動リターン装置。
【請求項２】
前記ソレノイドの塊のプランジャーの上端部と前記回動レバーの左端作用部の間の引張力リンク手段は各端部がピボット連結される駆動リンクである請求項１に記載の電源遮断機用操作ノブの自動リターン装置。
【請求項３】
前記ソレノイドの塊のプランジャーの上端部と前記回動レバーの左端作用部の間の引張力リンク手段は前記プランジャーの上端を前記回動レバーの左端作用部にピボット連結するが、前記回動レバーの左端作用部ピボットに長孔を形成してプランジャーの直線運動が回動レバーの回転運動に転換されることにおいて、制限的な運動自由度を許容することである請求項１に記載の電源遮断機用操作ノブの自動リターン装置。
【請求項４】
前記回動レバーの右端作用部と前記被駆動リンクの第１作用部の間の引張力リンク手段は両端部が各々ピボット連結される補助リンクである請求項１に記載の電源遮断機用操作ノブの自動リターン装置。
【請求項５】
前記回動レバーの右端作用部と前記被駆動リンクを第１作用部の間の引張力リンク手段は前記回動レバーの右端作用部に長孔を形成することによって運動力を伝達することにおいて、制限的な運動自由度を許容する請求項１または請求項４に記載の電源遮断機用操作ノブの自動リターン装置。
【請求項６】
前記ラッチバーの体の中央部に水平に横切って設置された押し棒を通じて前記ラッチバーの加圧力が接触スイッチに伝達されるようにした請求項１乃至請求項４のいずれかの一項に記載の電源遮断機用操作ノブの自動リターン装置。
【発明の詳細な説明】
【技術分野】
【０００１】
本発明は漏電電流等により発生される安全事故を予防させる電源遮断機に関することで、特に、電源遮断機に装着されて電源を遮断する操作ノブのリターン過程が自動になるようにして効率性を増大させるようにした電源遮断機用操作ノブのリターン装置に関する。
【背景技術】
【０００２】
一般に、電源遮断機は分電盤内に設置されて漏電のような異常電流が発生すると自動に電源を遮断する安全装置であって、このような電源遮断機は人体に対する感電事故とか漏電による火災及び過電流と短絡などによる安全事故等を予防するための目的で用いられる電裝品の一種である。
【０００３】
最近には有・無線インターネット等を利用した遠隔制御によって作動する電源遮断機が多く研究されていて、特に、電源遮断機のオン・オフ動作による作動が容易でなければならず、システムの誤作動がなく、組立性が簡便な構造の製品に対する研究が要求される。
【０００４】
例えば、本願出願人に譲渡された登録考案で、本発明の従来技術で引用される図１の“開閉装置”（韓国実用新案登録第２０−０３５３０５１号）によると、開閉器１００の内部にノブ１０３の開閉過程でヒンジ１４１を沿って回転し、ソレノイド１０７のプランジャー１１５がピボット結合されて連動するノブボディー１１３が設置され、前記開閉器１００の底面にヒンジ１３５を沿って回転し、その体にシャフト１３３を装着した支持台１１１が設置され、前記ノブボディー１１３のヒンジ１４１にノブ１０３の回転力を通じて回転しながらスプリング１２３によってリターンし、その先端部にシャフト１３３の外周面に触れ合う第１，２（２２１，２２３）を具備した弓部１０５が設置された構成が提案されたことがある。
【０００５】
ここで、ソレノイド１０７に電源が供給される場合、プランジャー１１５によってノブボディー１１３がヒンジ１４１を中心で図で時計の方向に回動し、このノブボディー１１３の裏面に装着された駆動ポール１１７が連動されて接触スイッチ１０９の接点を離れて開閉器１００が接触スイッチ１０９をトリップさせることである。
【０００６】
同時に、ノブボディー１１３に装着された弓部１０５が連動して支持台１１１のシャフト１３３を下向に加圧するので、弓部１０５の先端部を構成する第２加圧部２２３がシャフト１３３の外周面に触れ合って支持台１１１が安定状態にセッティングされる。
【０００７】
一方、ソレノイド１０７の電源が遮断される場合、プランジャー１１５がリターンされてノブボディー１１３がリターンされるので、駆動ポール１１７と接触スイッチ１０９が接続して“オン”作動され、弓部１０５がスプリング１２５によりリターンされ、支持台１１１はスプリング１２３によりリターンされて開閉器１００が正常状態に復帰することである。
【０００８】
ところで、開閉器１００はソレノイド１０７を用いて異常電流の遮断を可能であるようにするが、ノブボディー１１３にソレノイドのプランジャー１１５が直接的にヒンジ式で結合されて連動する状態であるので、ノブボディー１１３のリターンによる衝撃荷重で作動騒音が発生され、非接触式運動により不正確に作動されるので、信頼性が低下される問題点がある。
【０００９】
そして、開閉器１００でソレノイド１０７の作動安全性を増大させるための手段として弓部１０５と支持台１１１に第１，２加圧部１２１、１２３とシャフト１３３を各々形成しなければならなく、リターンの手段で多数のスプリング１２３，１２５を設置しなければならないので、各種の費用が増大される問題点がある。
【発明の開示】
【発明が解決しようとする課題】
【００１０】
このため、本発明は前記のような問題点を解消するためのことであり、非接触式作動メカニズムを止揚し、トリップの以後に異常電流状態が解除されると、操作ノブのリターン過程が自動になるようにして使用上の効率性を増大させた電源遮断機に適合なノブリターン装置を提供ことがその目的である。
【課題を解決するための手段】
【００１１】
前記の目的を達成するための本発明は、固定軸を中心で回動し、上部にハウジングの上面部の上に突出された上段部と下部に左下段部と右下段部を各々具備した操作ノブと、前記操作ノブの左下段部にリンク連結されたラッチバーを利用して、前記ハウジングの底面に構成された一対の接触スイッチを開閉させるようにし、前記操作ノブの右側方に前記固定軸に平行な第１補助軸を中心で回動し、下部に支持顎を具備し、上部には接触部を具備したトリップバーと、前記操作ノブの左側方に前記固定軸に平行な第２補助軸を中心で回動する回動レバーと、電気的信号により駆動されるソレノイドの塊が装着され、前記回動レバーの一側部にソレノイドの塊のプランジャーとピボット結合される少なくとも一つ以上の駆動リンクが連結され、この回動レバーの他側部に操作ノブとラッチバーにピボット連結される少なくとも一つ以上の被駆動リンクがピボット連結されてなり、前記ラッチバーは弾性体に構成されヘッド部は被駆動リンクにピボット結合され、レッグ部は自由端に形成されながら前記トリップバーの支持顎に支持されるようにした操作ノブのリターン装置を提供する。
【発明の効果】
【００１２】
本発明による電源遮断機用操作ノブのリターン装置によると電源遮断機に装着されて電源遮断機が“オン”の状態で異常電流が感知されないかぎり、ソレノイドの持続的な駆動電流がなくても“オン”の状態を維持するので、自動に操作ノブがリターンされる電源遮断機でメカニズムの具現による消費電力が最小かされるのみならず、ラッチバーの自体の弾性によって充分なスイッチの接触圧力の実現が可能であり、異常電流感知の結果によってオンーオフ状態の転換が容易し、操作ノブを強制に“オン”の位置に操作した状態でも異常電流の感知時に接点のスイッチが開けるようになっていて安全性が優れ、構造が簡単であって製作費用を減少させる効果がある。
【００１３】
また、本発明による電源遮断機用操作ノブのリターン装置によると、電源遮断機が“オン”の状態でソレノイドの持続的な駆動電流のなしにも“オン”の状態が維持され、リターンの信号によって操作ノブのリターン動作の自動化が容易になり、電源遮断機の作動メカニズムの具現による消費電力が最小化されて故障の発生率が減少し、装備の寿命が増加されるのみならず、手動操作時まで放置される場合に現れる電源の持続的な遮断により発生する工場の原料損傷、操業中断または情報システムの動作中断による情報損失などの２次的な損失を最小化することにおいて、産業上の利用可能性が提供されることである。
【発明を実施するための最良の形態】
【００１４】
以下、添付された図面を参照して本発明による実施例を説明すると次のようである。
【００１５】
本発明は漏電、短絡等を感知して電源を開閉させる電源遮断機に関するもので、遮断機のハウジング１１のフタ１８の上にその上端部が突出されて操作が可能ように形成され、固定軸１３を中心で回転する操作ノブ１４と、前記操作ノブ１４の下方に設置され、ヘッド部が操作ノブの左下端部とリンク連結され、レッグ部が支持顎に支持されてヒンジ運動するラッチバー１５を利用して前記ハウジング１１の底面に構成された一対の接触スイッチ１６を開閉させるように構成され、前記操作ノブの右側方に前記固定軸１３に平行な第１補助軸１７ｂを中心で回動し、下部に支持顎１７ａを具備し、上部には接触部を具備したトリップバー１７と、前記操作ノブ１４の左側方に固定軸と平行な第２補助軸２１に沿って回動する回動レバー２２を具備し、電気的信号により駆動されるソレノイドとソレノイドの軽筒内を直線運動するプランジャー２５ａで構成されたソレノイドの塊２５を具備し、前記回動レバー２２の一端部とソレノイドの塊２５のプランジャー２５ａをピボット連結する少なくとも一つ以上の駆動リンク２３を具備し、この回動レバー２２の他端部に操作ノブ１４の下端部の一側とラッチバー１５のヘッド部リンク連結するように形成された被駆動リンク２４を含むことが特徴的な構成である。
【００１６】
本発明による電源遮断機１０はハウジング１１とフタ１８によって箱体になり、その内部空間に操作ノブ１４とラッチバー１５と接触スイッチ１６等が収容され、特に、ハウジング１１に内蔵された操作ノブ１４が固定軸１３を中心で回転し、操作ノブ１４の復帰手段でリターン装置２０が装着されたことを特徴とする。
【００１７】
一方、電源遮断機１０に通常的に含めるサージ電流を感知するための回路基板（図示せず）や他の制御装置等に関する相互結合及び作動構造は公知技術としてこれに対する詳しい説明は省略する。
【００１８】
前記操作ノブ１４は、電源遮断機１０の収容空間に横に設置された固定軸１３を中心で正・逆回転できるように形成されたことで、その体の上端部がフタ１８の上面部の上に突出されて回動操作ができるようにし、下部は左下端部と右下端部を各々具備し、逆回転（図２及び図３で反時計の方向）を抵抗するようにするトルションスプリング等の弾性手段を具備する。
【００１９】
前記ラッチバー１５は操作ノブ１４の下方に設置されてそのヘッド部は被駆動リンク２４を通じて前記操作ノブ１４の左下段部に連結され、レッグ部は自由端にしてトリップバー１７の下部の支持顎１７ａに支持されて制限的なヒンジ運動をするように形成され、その素材は弾性素材にて成形する。一方、ラッチバー１５の体に横の方向に押し棒（Crossbar、１５ａ）が装着されて接触スイッチ１６の両接点を加圧できるように構成される。
【００２０】
前記トリップバー１７は操作ノブの右側方に前記固定軸１３に平行な第１補助軸１７ｂを中心で回動し、下部に支持顎１７ａを具備し、上部には接触部を具備し、スプリングによって逆回転抵抗が掛かるようになっていて、トリップソレノイド１９のプランジャー動作（図示せず）やバイメタルの曲がりにより接触部がタッチされる場合、トリップバー１７が回動しながら、支持顎１７ａがラッチバーのレッグ部を解除できるように構成される。
【００２１】
前記ソレノイドの塊２５は、軽筒の外周面にコイルが巻いた状態であり、軽筒の中空内にプランジャー２５ａが往復運動するように設置されて駆動コイルにサージ電流が印加される場合、瞬間的に電子力を発生させてプランジャーが軽筒内に吸引されるように形成されたことであり、ハウジング内に水平または垂直方向等適切な方向に設置される。
【００２２】
前記回動レバー２２は、操作ノブ１４とソレノイドの塊２５との間の空間に設置されたことで、固定軸１３に平行な第２補助軸２１を中心で回動し、軸線と離隔された位置の左右に左右作用部を具備してその外観が概略三角形状に形成されて固定軸を中心で回転力を伝達するように構成される。
【００２３】
前記駆動リンク２３は、回動レバー２２とソレノイドの塊２５の間に設置されて力を伝達する少なくとも一つ以上の板状の部材であって、その一端部が回動レバー２２の左端作用部にピボット結合され、その他端部がソレノイドの塊２５のプランジャー２５ａの上端にピボット結合されて運動する。
【００２４】
駆動リンク２３は、図４のようにプランジャー２５ａに直接ヒンジ式で連結することもできるし、図５のように媒介部材２３ａを通じてプランジャー２５ａに連結することもできるが、図６のように駆動リンク２３を排除して回動レバー２２の左端作用部に長凹溝を形成されてプランジャー２５ａに結合することもできる。本発明ではこれらの全ては引張力リンク手段で規定される。
【００２５】
前記被駆動リンク２４は、回動レバー２２と操作ノブ１４の間の空間に設置されて回動する板状の部材であって、三つの作用部を具備し、その第１作用部が回動レバー２２にリンク結合され、第２及び第３作用部が操作ノブ１４とラッチバー１５に各々ピボット結合されて運動する。被駆動リンク２４の第１作用部は補助リンク２６を利用して回動レバー２２にリンク結合することが望ましい。
【００２６】
また、回動レバー２２の右端作用部に図６のような長凹溝を形成されて駆動リンク２３及び被駆動リンク２４の回動過程で発生する衝撃力を吸収するように構成することができる。前記被駆動リンク２４に連結される長凹溝の形状を適切に形成して補助リンク２６を省略し、被駆動リンク２４を直接に回動レバーに連結することもできるが、ここで、これは全て引張力リンク手段に規定される。
【００２７】
以下、本発明による作用を説明すると次のようである。
まず、図２は、電源遮断機の“オフ”の状態で、接触スイッチ１６が開けていて、ラッチバーのレッグ部はトリップバーの支持顎１７ａから解除されていて、操作ノブは“オフ”の位置に置いていて、プランジャー２５ａはソレノイド軽筒から離脱されている状態である。
【００２８】
操作ノブのリターン信号により電源遮断機１０のソレノイド２５にサージ電流が印加されて電子力を発生する場合、図３のようにプランジャー２５ａが吸引されるので、プランジャー２５ａに駆動リンク２３を通じて連結された回動レバー２２が反時計方向に回転する。
【００２９】
このため、回動レバー２２に被駆動リンク２４を通じて連結された操作ノブ１４の左下端部が押されて操作ノブ１４が反時計方向に逆回転して“オン”の位置に復帰する。
【００３０】
さらに、操作ノブ１４の左下端部に被駆動リンク２４を通じてピボット結合されたラッチバー１５のヘッド部が下向運動されると共にラッチバーのレッグ部がトリップバー１７の支持顎１７ａにかみ合うように操作ノブの右下端部がラッチバーの体を押すので、ラッチバーがレッグ部が支持されて回転しながらラッチバー１５に横に装着された押し棒１５ａが接点スイッチ１６を押して電源遮断機を“オン”の状態にする。
【００３１】
この状態ではラッチ部材１５の弾性によって操作ノブの左下端部に加える逆回転力が操作ノブ１４のトルションスプリングによる正回転より大きい状態であるので、ソレノイドに印加されたサージ電流が除去されてプランジャーの吸引力がなくなっても“オン”の状態がそのまま維持される。
【００３２】
一方、ソレノイド２５に印加されたサージ電流が一定の時間が過ぎてなくなった状態で異常電流信号によって駆動されるトリップソレノイド１９のプランジャーがトリップバーの接触部をタッチすると、トリップバーの下部が回動しながら、支持顎１７ａにかけていたラッチバーのレッグ部を解除することになって“オン”の状態で維持されたラッチバー１５の弾性力が消滅されながら操作ノブ１４はトルションスプリングの復元力により時計方向に回動して図２のように“オフ”の位置に動き、駆動リンク２３を通じて連結されたプランジャー２５ａが突出される。
【００３３】
さらに、操作ノブ１４、の左下端に被駆動リンク２４を媒介で連結されたラッチバー１５のヘッド部が持ち上げられ、レッグ部は支持顎１７ａから解除されるので、接触スイッチ１６を押している押し棒１５ａの加圧力が失われ、接触スイッチ１６に具備されたスプリングによって接点が開けて電源遮断機が“オフ”の状態で維持される。
【００３４】
一方、過電流や短絡の原因が除去されていない状態で操作者が操作ノブ１４を“オフ”の位置から“オン”の位置に強制に操作する場合でもトリップソレノイドやバイメタルによってトリップバー接触部がタッチされてラッチバーのレッグ部を支持顎１７ａから解除させることによって接触スイッチ１６の接点が開けることになって操作上の事故を防止することができる。
【図面の簡単な説明】
【００３５】
【図１】従来の技術による電源遮断機を示す構成図と部分拡大図である。
【図２】本発明による電源遮断機の開閉状態を示す断面図である。
【図３】本発明による電源遮断機の開閉状態を示す断面図である。
【図４】本発明による電源遮断機の多様な実施例を示す概略図である。
【図５】本発明による電源遮断機の多様な実施例を示す概略図である。
【図６】本発明による電源遮断機の多様な実施例を示す概略図である。
【符号の説明】
【００３６】
１０：電源遮断機      
１１：ハウジング
１３：固定軸          
１４：操作ノブ        
１５：ラッチバー  
１５ａ：押し棒        
１６：接触スイッチ    
１７：トリップバー
１７ａ：支持顎        
１７ｂ：第１補助軸
１８：フタ            
１９：トリップソレノイド  
２０：リターン装置    
２１：第２補助軸
２２：回動レバー        
２３：駆動リンク      
２４：被駆動リンク        
２５：ソレノイドの塊      
２５ａ：プランジャー    
２６：補助リンク      
１００：開閉器          
１０３：ノブ
１０５：弓部            
１０７：ソレノイド
１０９：接触スイッチ    
１１１：支持台
１１３：ノブボディー    
１１５：プランジャー
１１７：駆動ポール        
１２１：第１加圧部
１２３，１２５：スプリング
１３３：シャフト        
１３５，１４１：ヒンジ
【図１】
2008519395.tif 000003
【図２】
2008519395.tif 000004
【図３】
2008519395.tif 000005
【図４】
2008519395.tif 000006
【図５】
2008519395.tif 000007
【図６】
2008519395.tif 000008
【国際調査報告】
2008519395.tif 000009
2008519395.tif 000010